【手続補正書】
【提出日】平成18年10月2日(2006.10.2)
【手続補正１】
【補正対象書類名】明細書
【補正対象項目名】発明の名称
【補正方法】変更
【補正の内容】
【発明の名称】印刷機の胴を位置決めする装置と方法、およびこの装置を有する印刷機
【手続補正２】
【補正対象書類名】明細書
【補正対象項目名】特許請求の範囲
【補正方法】変更
【補正の内容】
【特許請求の範囲】
【請求項１】  胴(7)が支持部材(6)内に回転可能に支持され、様々な位置(54,55)へ調節可能なユニット(50)を前記支持部材(6)と共に構成している、印刷機(1)における、少なくとも１つの胴(7)を選択的に位置決めする装置において、
前記胴(7)または前記ユニット(50)を前記位置(54,55)へ調節し、引張り手段(25)を含む引張り伝動装置(25から28)を有しており、前記ユニット(50)が前記引張り手段(25)にぶら下がった状態で前記引張り手段(25)によって保持されていることを特徴とする装置。
【請求項２】 前記引張り伝動装置(25から28)が、相補形状の引張り伝動装置であり、特にチェーン伝動装置である、請求項１に記載の装置。
【請求項３】 前記引張り手段(25)がリンクチェーンである、請求項１または２に記載の装置。
【請求項４】 前記引張り手段(25)の１つの端部が、ばね(20)を介して前記支持部材(6)に接続されている、請求項３に記載の装置。
【請求項５】 前記引張り手段(25)が、前記引張り手段(25)と相補形状の少なくとも２つの歯車(26,28)によって案内されるようになっている、請求項１ないし４のいずれか１項に記載の装置。
【請求項６】 前記胴(7)が、印刷物上に塗工物を塗布するための塗布胴である、請求項１ないし５のいずれか１項に記載の装置。
【請求項７】 少なくとも１つの他の胴(8,9)が前記支持部材(6)内に回転可能に支持されている、請求項３から６のいずれか１項に記載の装置。
【請求項８】前記支持部材(6)が、案内部材(18,19)上へ置くことが可能となっている、請求項１から７のいずれか１項に記載の装置。
【請求項９】 前記支持部材(6)が、前記案内部材(18,19)として機能する少なくとも１つのローラ上へ置くことが可能となっている、請求項８に記載の装置。
【請求項１０】 前記支持部材(6)が、前記胴(7)と共に前記引張り伝動装置(25から28)によって、直線状の、かつ概ね垂直な運動方向に前記位置(54,55)へ選択的に昇降可能である、請求項３から９のいずれか１項に記載の装置。
【請求項１１】 請求項１から10のいずれか１項にしたがって構成された少なくとも１つの装置を有する印刷機。
【請求項１２】 調節経路に沿って異なる位置(54,55)へ調節可能な胴(7)であって、印刷物を案内する胴(4)と協働する胴(7)を有する位置決め装置を備えた印刷機(1)を運転する方法、特に、請求項11にしたがって構成された印刷機(1)を運転する方法において、
a)印刷物を案内する胴（４）の回転角を特定の位置へ調節するステップ、
b)前記調整経路に沿って調節可能な胴（７）の回転角を特定の位置へ調節するステップ、
c)前記調節経路に沿って調節可能な胴（７）の周囲見当を調節するステップ、
d)前記胴（７）を前記位置決め装置によって前記調節経路に沿って第１の胴位置から第２の胴位置へ調節するステップ、
の少なくとも２つのステップが実行され、この２つのステップが少なくとも部分的に同時に実行されることを特徴とする、印刷機を運転する方法。
【手続補正３】
【補正対象書類名】明細書
【補正対象項目名】０００１
【補正方法】変更
【補正の内容】
【０００１】
【発明の属する技術分野】
本発明は、請求項１の前提項に記載されたような、胴が支持部材内に回転可能に支持され、様々な位置へ調節可能なユニットをこの支持部材と共に構成している印刷機における、少なくとも１つの胴を選択的に位置決めする装置に関し、また、請求項12の前提項に記載されたように、調節経路に沿って様々な位置に調節可能な胴を有する位置決め装置を備え、この胴が印刷物を案内する胴と協働する、印刷機を運転する方法に関する。
【手続補正４】
【補正対象書類名】明細書
【補正対象項目名】０００８
【補正方法】変更
【補正の内容】
【０００８】
【課題を解決するための手段】
本発明によると、これらの目的は、請求項１および12の特徴を有する装置と方法によって達成される。各従属項はさらに他の特徴を含んでいる。印刷機内で、少なくとも１つの胴を選択的に位置決めする本装置、すなわち、この胴が支持部材内に回転可能に支持されており、そして異なる位置へ調節可能なユニットを支持部材と共に構成している本装置は、この胴もしくはこのユニットをこれらの位置へ調節する引張り手段を備える引張り伝動装置を特徴としており、この場合、この引張り手段にぶら下がったこのユニットは、この引張り手段によって保持されている。このユニットは、完全に固定されていない状態で、例えば昇降機に相応して、または、例えば傾斜した平面上に置かれて補助的に案内される状態で、引張り手段にぶら下がっているか、もしくは、引張り手段によって保持されている。引張り手段は、チェーンまたはロープまたはベルトであることが可能である。引張り手段は、支持部材に固定されることができ、そしてまた、有端式の引張り手段であることができる。引張り伝動装置は、電動化されていることが好ましい。
【手続補正５】
【補正対象書類名】明細書
【補正対象項目名】０００９
【補正方法】変更
【補正の内容】
【０００９】
本発明による装置の他の好適な実施態様は、引張り伝動装置が相補形状の引張り伝動装置であり、そしてまた、特にチェーン伝動装置であることを特徴としている。
【手続補正６】
【補正対象書類名】明細書
【補正対象項目名】００１０
【補正方法】変更
【補正の内容】
【００１０】
引張り伝動装置のグループには、例えば巻き上げ装置や、摩擦による嵌合状態で作用するＶベルト伝動装置の他に、駆動ホイールおよび/またはガイドローラ、そしてまた引張り手段が嵌合した状態で互いにかみ合っている、相補形状の引張り伝動装置も含まれる。
【手続補正７】
【補正対象書類名】明細書
【補正対象項目名】００１１
【補正方法】変更
【補正の内容】
【００１１】
相補形状の引張り伝動装置のグループには、歯付きベルトにかみ合う歯車を有する歯付きベルト伝動装置の他に、チェーンにかみ合うチェーンホイールを有する好適なチェーン伝動装置も含まれる。
【手続補正８】
【補正対象書類名】明細書
【補正対象項目名】００１２
【補正方法】変更
【補正の内容】
【００１２】
この相補形状の引張り伝動装置によって、ユニットの非常に正確な位置決め、そしてまた、比較的広い調節経路にわたるユニットの調節が可能である。他の実施態様は、引張り手段がリンクチェーンであることを特徴としている。
【手続補正９】
【補正対象書類名】明細書
【補正対象項目名】００２３
【補正方法】変更
【補正の内容】
【００２３】
このローラは、偏心した偏心軸受のまわりを回転可能な偏心ローラとして形成されることが可能である。ユニットを上に置くことが可能なこの偏心ローラまたは他のローラは、ピボット軸受のまわりをピボット運動可能なローラとしても構成されることが可能である。他の実施態様は、支持部材が、胴と共に、引っ張り伝動装置により、直線状の、そしてまた正確にまたは概ね垂直な運動方向に、これらの位置へ選択的に昇降可能である、という特徴を有している。
【手続補正１０】
【補正対象書類名】明細書
【補正対象項目名】００２６
【補正方法】変更
【補正の内容】
【００２６】
a)印刷物を案内する胴の回転角を特定の位置へ調節するステップ
b) 調整経路に沿って調節可能な胴の回転角を特定の位置へ調節するステップ
c) 調節経路に沿って調節可能な胴の周囲見当を調節するステップ
d)調節可能な胴を、位置決め装置によって調節経路に沿って第１の胴位置から第２の胴位置へ調節するステップ。
【手続補正１１】
【補正対象書類名】明細書
【補正対象項目名】００２７
【補正方法】変更
【補正の内容】
【００２７】
この調節可能な胴は、直線状の調節経路に沿って相応する位置へ調節可能であることが好ましい。この場合、本方法を実行するための引張り伝動装置を有する、本発明による装置を用いることができる。しかし、本方法は、さらに、別の手法で構成された位置決め装置を備える印刷機にも用いることができる。胴は、例えば、この種の位置決め装置により、相応する位置へ揺動させられることが可能である。本発明による方法の利点は、印刷機の試運転のために必要な複数の調節過程における時間的なオーバーラップもしくは並列的な経過から生じる。個々の調節過程a)〜d)を駆動する、印刷機の様々な駆動装置は、電子的な制御装置により互いに同期して、そしてまた、これらの実行されるステップにしたがって時間的に制御されることが可能であることが好ましい。